(57)【要約】【解決手段】底部１と該底部を囲むように形成された周壁２とからなるダネッジＤにおいて、周壁の一部を、ダネッジの内部方向に膨出させることにより形成された底部載置柱状部３の天部３ａを、ダネッジの内部方向に向かって、上方に傾斜した傾斜面として形成したものである。【効果】ダネッジを段積みした際に、下に位置するダネッジの周壁が、外側に変形するようなことがなく、従って、下に位置するダネッジに形成された底部載置柱状部に載置されていた、上に位置するダネッジの底部が、下に位置するダネッジに形成された底部載置柱状部から外れて落下するようなことを防止することができる。【選択図】図２
2005132442.tif 000002
【特許請求の範囲】
【請求項１】
底部と該底部を囲むように形成された周壁とからなるダネッジにおいて、前記周壁の一部を、ダネッジの内部方向に膨出させることにより形成された底部載置柱状部の天部を、ダネッジの内部方向に向かって、上方に傾斜した傾斜面として形成したことを特徴とするダネッジ。
【請求項２】
底部載置柱状部に載置される底部領域に、底部を、上方に膨出させることにより補強用凸部を形成したことを特徴とする請求項１に記載のダネッジ。
【発明の詳細な説明】
【技術分野】
【０００１】
本発明は、収納される物品に応じた形状の物品収納凹部を有する合成樹脂で一体成形されたダネッジに関するものである。
【背景技術】
【０００２】
従来、ダネッジの周壁の一部を、外側から内側に向かって膨出させることにより、周壁に沿って、底部載置柱状部が形成されているダネッジが、一例として、特許文献１に開示されている。このような構成を有する下に位置するダネッジの周壁に沿って形成された底部載置柱状部に、上に位置するダネッジの底部を載置することにより、物品が収納されたダネッジを段積みするように構成されている。
【特許文献１】実公昭６１−１０７１号公報
【発明の開示】
【発明が解決しようとする課題】
【０００３】
上述した従来のダネッジにおいては、上に位置するダネッジに重量物が収納されている場合に、下に位置するダネッジの周壁に沿って形成された、上に位置するダネッジが載置されている底部載置柱状部に、上方から大きな負荷がかかり、該上方からの負荷の外側に向かう分力により、底部載置柱状部が形成されている周壁が外側に変形し、上に位置するダネッジの底部が、下に位置するダネッジの周壁に形成された底部載置柱状部から外れるという問題があった。このように、上に位置するダネッジが、下に位置するダネッジの周壁に形成された底部載置柱状部から外れると、上に位置するダネッジが、下に位置するダネッジに収納された物品に当接し、下に位置するダネッジに収納された物品が損傷することになる。
【０００４】
また、上述した従来のダネッジにおいては、下に位置するダネッジの周壁に形成された底部載置柱状部に載置される、上に位置するダネッジの底部の強度や剛性が十分でないために、上に位置するダネッジの底部が、座屈等を起こし損傷するという問題があった。
【０００５】
本発明の目的は、上述した従来のダネッジが有する課題を解決することにある。
【課題を解決するための手段】
【０００６】
本発明は、上述した目的を達成するために、底部と該底部を囲むように形成された周壁とからなるダネッジにおいて、第１には、周壁の一部を、ダネッジの内部方向に膨出させることにより形成された底部載置柱状部の天部を、ダネッジの内部方向に向かって、上方に傾斜した傾斜面として形成したものであり、第２には、底部載置柱状部に載置される底部領域に、底部を、上方に膨出させることにより補強用凸部を形成したものである。
【発明の効果】
【０００７】
周壁の一部を、ダネッジの内部方向に膨出させることにより形成された底部載置柱状部の天部を、ダネッジの内部方向に向かって、上方に傾斜した傾斜面として形成したので、ダネッジを段積みした際に、下に位置するダネッジの周壁が、外側に変形するようなことがなく、従って、下に位置するダネッジに形成された底部載置柱状部に載置されていた、上に位置するダネッジの底部が、下に位置するダネッジに形成された底部載置柱状部から外れ、上に位置するダネッジが落下するようなことを防止することができる。
【０００８】
底部載置柱状部に載置される底部領域に、底部を、上方に膨出させることにより補強用凸部を形成したので、底部全体が、平坦な場合に比べて、強度や剛性が向上し、従って、底部の変形や損傷を防止することができる。
【実施例】
【０００９】
以下に、本発明の実施例について説明するが、本発明の趣旨を越えない限り、何ら、本実施例に限定されるものではない。
【００１０】
１は、平面形状が、略方形状の底部であり、底部１の各辺からは、外側に向かって傾斜した周壁２が、底部１を囲むように形成されており、底部１と周壁２とにより、上方が開口された箱型のダネッジＤが形成されている。本実施例には、底部１の平面形状が、略長方形状に形成されている例が示されており、且つ、周壁２が、相対する長壁部２ａと相対する短壁部２ｂとから構成されている例が示されている。また、周壁２の上端には、外側に延在する周状フランジ２ｃが形成されており、周状フランジ２ｃは、周壁２の上端から外側に、略水平に延在する水平部２ｃ１と、水平部２ｃ１の先端から、略下方に延在する垂下部２ｃ２とから形成されている。
【００１１】
周壁２の所定個所には、周壁２の一部を、箱型のダネッジＤの内部方向に膨出させることにより、底部載置柱状部３が形成されている。底部載置柱状部３は、平坦な天部３ａと、周壁２に略垂直な相対する側壁３ｂと相対する側壁３ｂを連結するとともに、周壁２に略平行な側壁３ｃとの３側壁とから形成されており、底部載置柱状部３の底部と外側側部は、解放されている。本実施例には、周壁２の相対する長壁部２ａに、それぞれ２個ずつ、底部載置柱状部３が形成されており、また、周壁２の相対する短壁部２ｂのうち、一方の短壁部２ｂに、２個の底部載置柱状部３が形成されている例が示されている。
【００１２】
なお、底部載置柱状部３の天部３ａは、周状フランジ２ｃの水平部２ｃ１より、若干、下方に位置しており、段積みされた上に位置するダネッジＤａの底部１が、下に位置するダネッジＤｂの底部載置柱状部３に載置された状態で、水平方向に移動しようとした際には、上に位置するダネッジＤａの周壁２が、下に位置するダネッジＤｂの底部載置柱状部３の周壁２に当接し、上に位置するダネッジＤａが、下に位置するダネッジＤｂに対して、大きくずれないように構成されている。このように構成することにより、複数のダネッジＤを、安定した状態で段積みすることができる。
【００１３】
底部載置柱状部３の天部３ａは、図２及び図３に示されているように、該底部載置柱状部３が配設されている周壁２から、該周壁２に略平行な側壁３ｃに向かって、換言すれば、ダネッジＤの内部方向に向かって、上方に傾斜した傾斜面として形成されている。周壁２から、該周壁２に略平行な側壁３ｃに向かって、換言すれば、ダネッジＤの内部方向に向かって、上方に傾斜した傾斜面として形成される底部載置柱状部３の天部３ａと水平面とのなす角度θ１は、１〜３度程度であることが好ましい。
【００１４】
以下に、図６及び図７を用いて、従来のダネッジについて説明するが、上述した本発明のダネッジに対応する部材については、本発明のダネッジＤの部材に付された符号に、ダッシュ（’）を付して表すとともに、その詳細な説明は省略する。
【００１５】
従来のダネッジＤ’においては、底部載置柱状部３’の天部３ａ’は、周壁２’から、該周壁２’に略平行な側壁３ｃ’に向かって、換言すれば、ダネッジＤ’の内部方向に向かって、若干、下方に傾斜した傾斜面として形成されており、従って、下に位置するダネッジＤｂ’の底部載置柱状部３’の天部３ａ’に、上に位置するダネッジＤａ’の底部１が載置された場合には、上に位置するダネッジＤａ’の重量により、下に位置するダネッジＤｂ’の周壁２’には、周壁２’を外側に倒そうとする分力が作用し、周壁２’が、外側に変形することになる。この周壁２’の外側への変形により、下に位置するダネッジＤｂ’に形成された底部載置柱状部３’の天部３ａ’に載置されていた、上に位置するダネッジＤａ’の底部１’が、下に位置するダネッジＤｂ’に形成された底部載置柱状部３’の天部３ａ’から外れて落下することになり、下に位置するダネッジＤｂ’に収納されている物品を損傷することになる。
【００１６】
しかしながら、本発明においては、上述したように、底部載置柱状部３の天部３ａが、該底部載置柱状部３が配設されている周壁２から、該周壁２に略平行な側壁３ｃに向かって、換言すれば、ダネッジＤの内部方向に向かって、上方に傾斜した傾斜面として形成されているので、下に位置するダネッジＤｂの底部載置柱状部３の天部３ａに、上に位置するダネッジＤａの底部１が載置された場合には、上に位置するダネッジＤａの重量により、下に位置するダネッジＤｂの周壁２には、周壁２を内側に倒そうとする分力が作用し、従って、周壁２が、外側に変形するようなことがなく、下に位置するダネッジＤｂに形成された底部載置柱状部３の天部３ａに載置されていた、上に位置するダネッジＤａの底部１が、下に位置するダネッジＤｂに形成された底部載置柱状部３の天部３ａから外れるようなことを防止することができる。
【００１７】
底部載置柱状部３の天部３ａに載置される、底部１の領域には、底部１を、上方に膨出させることにより、補強用凸部４が形成されている。補強用凸部４の周壁２側は、周壁２に連接されており、補強用凸部４は、上面が平坦な天部４ａと、周壁２に略垂直な相対する側壁４ｂと、周壁２に略平行な側壁４ｃとから形成されている。このような、底部１を、上方に膨出させることにより形成された補強用凸部４は、底部１の裏面から見た場合には、周壁２側及び下部が解放された凹部として形成されている。
【００１８】
上述したように、底部載置柱状部３の天部３ａに載置される、底部１の領域には、補強用凸部４が形成されているので、底部１全体が、平坦な場合に比べて、強度や剛性が向上し、従って、底部１の変形や損傷を防止することができる。
【００１９】
底部１の底部載置柱状部３の天部３ａが載置される領域を、上方に膨出させることにより形成された補強用凸部４を構成する天部４ａは、周壁２から、該周壁２に略平行な側壁４ｃに向かって、換言すれば、ダネッジＤの内部方向に向かって、上方に傾斜した傾斜面として形成することが好ましい。周壁２から、該周壁２に略平行な側壁４ｃに向かって、換言すれば、ダネッジＤの内部方向に向かって、上方に傾斜した傾斜面として形成される補強用凸部４の天部４ａと水平面とのなす角度θ２は、１〜３度程度とすることが好ましい。また、補強用凸部４を構成する天部４ａと水平面とのなす角度θ２は、底部載置柱状部３の天部３ａと水平面とのなす角度θ１と略同じであることが好ましい。
【００２０】
上述したように、周壁２から、該周壁２に略平行な側壁３ｃに向かって、上方に傾斜した傾斜面として形成されている底部載置柱状部３の天部３ａに対応して、補強用凸部４の天部４ａを、周壁２から、該周壁２に略平行な側壁４ｃに向かって、上方に傾斜した傾斜面として形成することにより、下に位置するダネッジＤｂの底部載置柱状部３の天部３ａと上に位置するダネッジＤａの底部１に形成された補強用凸部４の天部４ａとが、面接触状態に当接することになり、従って、安定した状態で、ダネッジＤを段積みすることができるとともに、上に位置するダネッジＤａの重量により、下に位置するダネッジＤｂの周壁２には、周壁２を内側に倒そうとする分力が効果的に作用し、従って、周壁２が、外側に変形するようなことを確実に防止することができる。
【図面の簡単な説明】
【００２１】
【図１】図１は、本発明のダネッジの斜視図である。
【図２】図２は、本発明のダネッジに形成された底部載置柱状部の拡大側断面図である。
【図３】図３は、本発明のダネッジに形成された底部載置柱状部付近の拡大側断面図である。
【図４】図４は、本発明のダネッジが段積みされた状態の斜視図である。
【図５】図５は、本発明のダネッジが段積みされた状態の底部載置柱状部付近の拡大側断面図である。
【図６】図６は、従来のダネッジに形成された底部載置柱状部の拡大側断面図である。
【図７】図７は、従来のダネッジが段積みされた状態の底部載置柱状部付近の拡大側断面図である。
【符号の説明】
【００２２】
Ｄ・・・・・・・・・・・・ダネッジ
１・・・・・・・・・・・・底部
２・・・・・・・・・・・・周壁
３・・・・・・・・・・・・底部載置柱状部
４・・・・・・・・・・・・補強用凸部
【図１】
2005132442.tif 000003
【図２】
2005132442.tif 000004
【図３】
2005132442.tif 000005
【図４】
2005132442.tif 000006
【図５】
2005132442.tif 000007
【図６】
2005132442.tif 000008
【図７】
2005132442.tif 000009